(57)【特許請求の範囲】
【請求項１】
専用ユーザ機器（ＵＥ）を非専用ｅＮＢ（ｅｎｈａｎｃｅｄ  Ｎｏｄｅ  Ｂ）から専用ｅＮＢ（ｅｎｈａｎｃｅｄ  Ｎｏｄｅ  Ｂ）にリダイレクトするモビリティマネジメントエンティティ（ＭＭＥ）であって、
プロセッサと、前記プロセッサに結合されたメモリと、を含み、前記メモリ内の命令が、前記プロセッサを、
前記専用ＵＥが前記非専用ｅＮＢに接続されている間、前記非専用ｅＮＢを介して前記専用ＵＥから、パワーセービングモード（ＰＳＭ）情報要素を含む不活動通知を受信し、
前記不活動通知に応答して前記非専用ｅＮＢに解放コマンドを送信することであって、前記解放コマンドは、前記非専用ｅＮＢに、前記専用ＵＥに対して接続解放メッセージを送信させ、前記接続解放メッセージは、前記専用ＵＥを前記非専用ｅＮＢから前記専用ｅＮＢにリダイレクトするキャリアリダイレクトメッセージを含む
ように構成する、
モビリティマネジメントエンティティ。
【請求項２】
前記専用ＵＥからの前記不活動通知は、無線リソース制御（ＲＲＣ）接続セットアップを介して伝送される、請求項１に記載のモビリティマネジメントエンティティ。
【請求項３】
前記非専用ｅＮＢに送信される前記解放コマンドは、前記解放コマンドの原因としてＰＳＭ指標を含む、請求項１に記載のモビリティマネジメントエンティティ。
【請求項４】
専用ユーザ機器（ＵＥ）を専用ｅＮＢ（ｅｎｈａｎｃｅｄ  Ｎｏｄｅ  Ｂ）にリダイレクトするｅＮＢ（ｅｎｈａｎｃｅｄ  Ｎｏｄｅ  Ｂ）であって、
プロセッサと、前記プロセッサに結合されたメモリと、を含み、前記メモリ内の命令が、前記プロセッサを、
前記専用ＵＥからメッセージを受信することであって、前記メッセージは、前記専用ＵＥにより使用される専用サービスの指標を含み、
前記メッセージに少なくとも部分的に基づいてハンドオーバ判断を実行して、専用ｅＮＢが前記専用ＵＥに対してより適切であるかを決定し、
前記専用ｅＮＢが前記専用ＵＥに対してより適切である場合、前記専用ＵＥに無線リソース制御（ＲＲＣ）メッセージを送信して、前記専用ＵＥを前記専用ｅＮＢにハンドオーバするように示す
ように構成する、
ｅＮＢ。
【請求項５】
前記メッセージは、利用可能である前記専用ｅＮＢのタイプを示す測定報告を含む、請求項４に記載のｅＮＢ。
【請求項６】
前記メッセージは、専用ｅＮＢ情報の指標を含む、請求項４に記載のｅＮＢ。
【請求項７】
前記メモリ内の命令が、前記プロセッサを、前記専用ｅＮＢが前記専用ＵＥに対してより適切であると決定される場合、ハンドオーバ準備情報を前記専用ｅＮＢに送信するようにさらに構成する、請求項４に記載のｅＮＢ。
【請求項８】
専用ユーザ機器（ＵＥ）を専用コアネットワーク（ＣＮ）にリダイレクトする非専用ｅＮＢ（ｅｎｈａｎｃｅｄ  Ｎｏｄｅ  Ｂ）であって、
プロセッサと、前記プロセッサに結合されたメモリと、を含み、前記メモリ内の命令が、前記プロセッサを、
前記専用ＵＥが前記非専用ｅＮＢに接続されている間、前記専用ＵＥから、パワーセービングモード（ＰＳＭ）情報要素を含む不活動通知を受信し、モビリティマネジメントエンティティ（ＭＭＥ）に前記不活動通知を送信し、
前記ＭＭＥから解放コマンドを受信し、前記専用ＵＥに対して接続解放メッセージを送信することであって、前記接続解放メッセージは、前記専用ＵＥを前記非専用ｅＮＢから専用ｅＮＢにリダイレクトするキャリアリダイレクトメッセージを含む
ように構成する、
非専用ｅＮＢ。
【請求項９】
前記専用ＵＥからの前記不活動通知は、無線リソース制御（ＲＲＣ）接続セットアップを介して伝送される、請求項８に記載の非専用ｅＮＢ。
【請求項１０】
前記ＭＭＥから受信する前記解放コマンドは、前記解放コマンドの原因としてＰＳＭ指標を含む、請求項８に記載の非専用ｅＮＢ。
【請求項１１】
専用ユーザ機器（ＵＥ）を非専用ｅＮＢ（ｅｎｈａｎｃｅｄ  Ｎｏｄｅ  Ｂ）から専用ｅＮＢ（ｅｎｈａｎｃｅｄ  Ｎｏｄｅ  Ｂ）にリダイレクトする方法であって、
前記専用ＵＥが前記非専用ｅＮＢに接続されている間、前記非専用ｅＮＢを介して前記専用ＵＥから、パワーセービングモード（ＰＳＭ）情報要素を含む不活動通知を受信し、
前記不活動通知に応答して前記非専用ｅＮＢに解放コマンドを送信することであって、前記解放コマンドは、前記非専用ｅＮＢに、前記専用ＵＥに対して接続解放メッセージを送信させ、前記接続解放メッセージは、前記専用ＵＥを前記非専用ｅＮＢから前記専用ｅＮＢにリダイレクトするキャリアリダイレクトメッセージを含むこと
を含む方法。
【請求項１２】
前記専用ＵＥからの前記不活動通知は、無線リソース制御（ＲＲＣ）接続セットアップを介して伝送される、請求項１１に記載の方法。
【請求項１３】
前記非専用ｅＮＢに送信される前記解放コマンドは、前記解放コマンドの原因としてＰＳＭ指標を含む、請求項１１に記載の方法。
【請求項１４】
専用ユーザ機器（ＵＥ）を専用ｅＮＢ（ｅｎｈａｎｃｅｄ  Ｎｏｄｅ  Ｂ）にリダイレクトする方法であって、
前記専用ＵＥからメッセージを受信することであって、前記メッセージは、前記専用ＵＥにより使用される専用サービスの指標を含み、
前記メッセージに少なくとも部分的に基づいてハンドオーバ判断を実行して、専用ｅＮＢが前記専用ＵＥに対してより適切であるかを決定し、
前記専用ｅＮＢが前記専用ＵＥに対してより適切である場合、前記専用ＵＥに無線リソース制御（ＲＲＣ）メッセージを送信して、前記専用ＵＥを前記専用ｅＮＢにハンドオーバするように示すこと
を含む方法。
【請求項１５】
前記メッセージは、利用可能である前記専用ｅＮＢのタイプを示す測定報告を含む、請求項１４に記載の方法。
【請求項１６】
前記メッセージは、専用ｅＮＢ情報の指標を含む、請求項１４に記載の方法。
【請求項１７】
前記専用ｅＮＢが前記専用ＵＥに対してより適切であると決定される場合、ハンドオーバ準備情報を前記専用ｅＮＢに送信することを更に含む、請求項１４に記載の方法。
【請求項１８】
専用ユーザ機器（ＵＥ）を専用コアネットワーク（ＣＮ）にリダイレクトする方法であって、
前記専用ＵＥが非専用ｅＮＢに接続されている間、前記専用ＵＥから、パワーセービングモード（ＰＳＭ）情報要素を含む不活動通知を受信し、モビリティマネジメントエンティティ（ＭＭＥ）に前記不活動通知を送信し、
前記ＭＭＥから解放コマンドを受信し、前記専用ＵＥに対して接続解放メッセージを送信することであって、前記接続解放メッセージは、前記専用ＵＥを前記非専用ｅＮＢから専用ｅＮＢにリダイレクトするキャリアリダイレクトメッセージを含むこと
を含む方法。
【請求項１９】
前記専用ＵＥからの前記不活動通知は、無線リソース制御（ＲＲＣ）接続セットアップを介して伝送される、請求項１８に記載の方法。
【請求項２０】
前記ＭＭＥから受信する前記解放コマンドは、前記解放コマンドの原因としてＰＳＭ指標を含む、請求項１８に記載の方法。
【請求項２１】
請求項１１乃至２０のうちいずれか１項に記載の方法をプロセッサに実行させるように構成された命令を有するプログラム。
【請求項２２】
請求項２１に記載のプログラムを記憶した記憶媒体。
【発明の詳細な説明】
【背景技術】
【０００１】
関連出願の相互参照
本出願は、2015年3月27日に申請された米国出願第14/671,220号の利益と2014年4月28日に申請された米国仮出願第61/985,349号の利益とを主張する。2015年3月27日に申請された上記米国出願第14/671,220号は同様に、2014年4月28日に申請された米国仮出願第61/985,349号の利益を主張する。上記出願第61/985,349号と上記出願第14/671,220号とは、その全体を本明細書において参照により援用される。
【０００２】
マシンタイプ通信（ＭＴＣ）装置は、次の１０年を通じて５００億という数になると予想されている。こうしたクラスの装置は、オプション機能サポート、トラフィック特性サポート、アクセス優先順位、輻輳管理、ユーザプレーントラフィックに対するシグナリングの比率等の観点において、第３世代パートナーシッププロジェクト（３ＧＰＰ（登録商標））システムにおける典型的な装置とは異なる要件を有し得る。多くのＭＴＣ装置及び／又はアプリケーションが、ネットワーク上で非常に小さいユーザプレーントラフィックを生成し、多くのこうしたＭＴＣ装置及び／又はアプリケーションは、低いアクセス優先順位として考えられ得る。ＭＴＣ装置及び／又はアプリケーションの低いアクセス優先順位は、３ＧＰＰリリース１０技術仕様において定義されている。上記の多数の装置を所与として、これら装置が低い優先順位のアクセスを使用し、少量のデータのみ送信するとしても、これら装置は、ネットワーク、例えば、無線アクセスネットワーク及び／又はコアネットワークに、負荷をかけ過ぎる潜在性を有する。オペレータは、通常のユーザ機器（ＵＥ）又は人間対人間の通信システムと全体的なシステムパフォーマンスとに影響を与えることなく、多数のこうした装置の接続を如何にして効率的に維持するかに関心がある。アプリケーション及び／又はサービスと装置及び／又はユーザとの異なるクラスを同様にサポートするためのコスト効果の良いメカニズムとして、オペレータは、特定のユーザ又はトラフィックタイプのために供給し、特定のユーザ及びトラフィックを互いから分離する、特定の機能の独立したスケーリングのための別個の専用コアネットワークを展開することを考えている。このことは、ＭＴＣ装置のための既存の仕様が、低アクセス優先順位指標を提供せず、ＭＭＥの再選択をサポートしないＵＥを、取扱うことができないという事実に起因する。
【０００３】
リリース１３作業項目が近年承認されて、上記の専用コアネットワークの展開を可能にしており、これにおいて、各専用コアネットワークは、同じ特性を共有するＵＥに対して専用にされる。こうした専用コアネットワークは、既存のネットワーク上に築かれ、しかし特定のＵＥ及びトラフィックタイプのより効率的な取扱いを可能にする、オーバーレイネットワークと考えられ得る。上記の専用ネットワークノードの作成は、将来、ソフトウェアデファインドネットワーキング／ネットワーク機能仮想化（Software  Defined  Networking/Network  Functions  Virtualization）（ＳＤＮ／ＮＦＶ）などのテクノロジーで容易になり、例えば、専用ＭＭＥノードの仮想ネットワーク機能としての具体化である。
【０００４】
新しいリリース１３作業項目はコアネットワーク（ＣＮ）をカバーしており、現在、無線アクセスネットワーク（ＲＡＮ）態様をカバーしていない。しかしながら、新しいレイヤ化されたネットワーク構造を将来の３ＧＰＰリリースにおいて効率的にサポートするために、ＲＡＮ態様がさらに考えられ得る。ゆえに、本発明は、専用装置の専用ノードとの通信を確立し及び制御する方法を提案する。専用ノードは、例えば、ＲＡＮにおける強化型ノードＢ（ｅＮＢ）、コアネットワークにおけるモビリティマネジメントエンティティ（ＭＭＥ）、サービングゲートウェイ（Ｓ−ＧＷ）、及びパケットゲートウェイ（Ｐ−ＧＷ）である。これら専用ノードは、必ずしもこれに制限されないが、ＭＴＣノード、若しくは低コスト及び／又は低複雑性ノード、又は、例えば小さいデータ（スモールデータ）、健全性（health）、セキュリティなどの具体的な使用法に対して特化されたノードとして理解されてもよく、上記専用ノードは、新しいＭＴＣ及び／又はモノのインターネット（ＩｏＴ）のタイプのサービスを売り出すと同時に、オペレータの資本的支出（ＣＡＰＥＸ）を低減させ得る。同じ概念が、必ずしもこれに制限されないが、ＭＴＣ／ＩｏＴ、又は低複雑性及び／又は低コストの装置として理解され得る専用装置に対してさらに適用され得る。専用ネットワークは、新しい要件のためにＲＡＮ及び／又はＣＮにおいてより最適化されたネットワークを作成して、ＩｏＴタイプのサービスをより良くサポートすることを狙う。上記タイプのネットワーク及びサービスの例が、常時オン接続性、スモールデータ、頻繁なデータ転送、高い優先順位のアクセス、健全なセキュアネットワーク、ビデオ監視ネットワークなどである。
【図面の簡単な説明】
【０００５】
請求される対象事項は、本明細書の結びの部分に具体的に指し示され、明確に請求される。しかしながら、上記対象事項は、下記の詳細な説明に対する参照によって、添付図面と共に読まれるとき、理解され得る。例示の簡潔さ及び／又は明りょうさのため、図に例示される要素は必ずしも縮尺どおりに描かれてはいないことが十分理解されるであろう。例えば、要素のうちいくつかの寸法が、明りょうさのため、他の要素に相対して誇張され得る。さらに、適切と考えられる場合、参照番号は、対応する及び／又は類似の要素を示すように複数の図の間で繰り返されている。
【図１】１つ以上の実施形態に従う、１つ以上の専用ネットワークノードを含むネットワークアーキテクチャの図である。
【図２】１つ以上の実施形態に従う、所与のユーザ機器が適切な専用ノードに接続する方法の図である。
【図３】１つ以上の実施形態に従う、パワーセービングモードに少なくとも部分的に基づく初期アタッチの間のユーザ機器のリダイレクションの方法の図である。
【図４】１つ以上の実施形態に従う、専用強化型ノードＢに対するユーザ機器のハンドオーバの方法の図である。
【図５】１つ以上の実施形態に従う、専用及び非専用の無線アクセスノード及びコアネットワークノードの相互作用の図である。
【図６】１つ以上の実施形態に従う、専用の又は特別なモビリティマネジメントエンティティを選択するＳ１シグナリングの図である。
【図７Ａ】１つ以上の実施形態に従う、ユーザ機器により好まれるセルタイプのための拡張されたアクセスネットワーク発見及び選択機能（ＡＮＤＳＦ）管理オブジェクト（ＭＯ）の図である。
【図７Ｂ】１つ以上の実施形態に従う、ユーザ機器により好まれるセルタイプのための新しいスタンドアロン管理オブジェクト（ＭＯ）の図である。
【図８Ａ】１つ以上の実施形態に従う、アクセスポイント名（ＡＰＮ）ごとの好まれるセルタイプのための拡張されたアクセスネットワーク発見及び選択機能（ＡＮＤＳＦ）管理オブジェクト（ＭＯ）の図である。
【図８Ｂ】１つ以上の実施形態に従う、アクセスポイント名（ＡＰＮ）ごとの好まれるセルタイプのための新しいスタンドアロン管理オブジェクト（ＭＯ）の図である。
【図９Ａ】１つ以上の実施形態に従う、フローごとの好まれるセルタイプのための拡張されたアクセスネットワーク発見及び選択機能（ＡＮＤＳＦ）管理オブジェクト（ＭＯ）の図である。
【図９Ｂ】１つ以上の実施形態に従う、アプリケーションごとのフローごとの好まれるセルタイプのための新しいスタンドアロン管理オブジェクト（ＭＯ）の図である。
【図１０Ａ】１つ以上の実施形態に従う、アプリケーションごとの好まれるセルタイプのための拡張されたアクセスネットワーク発見及び選択機能（ＡＮＤＳＦ）管理オブジェクト（ＭＯ）の図である。
【図１０Ｂ】１つ以上の実施形態に従う、アプリケーションごとの好まれるセルタイプのための新しいスタンドアロン管理オブジェクト（ＭＯ）の図である。
【図１１】１つ以上の実施形態に従う、１つ以上の専用ネットワークノードを介した通信を可能な情報処理システムのブロック図である。
【図１２】１つ以上の実施形態に従う、タッチスクリーンを任意的に含み得る図１１の情報処理システムの等角図である。
【発明を実施するための形態】
【０００６】
下記の詳細な説明において、請求される対象事項の深い理解を提供するために、多数の特定の詳細が明記される。しかしながら、請求される対象事項はこうした特定の詳細なしに実施され得ることが当業者により理解されるであろう。別の例において、よく知られる方法、手順、コンポーネント、及び／又は回路は、詳細には説明されていない。
【０００７】
下記の説明及び／又は請求項において、用語の結合される及び／又は接続されるとその派生物とが使用され得る。具体的な実施形態において、接続されるは、２つ以上の要素が互いに直接物理的及び／又は電気的に接触することを意味するように用いられ得る。結合されるは、２つ以上の要素が直接物理的及び／又は電気的に接触することを意味し得る。しかしながら、結合されるは、２つ以上の要素が互いに直接接触していない可能性があり、しかしなお依然として互いに協働し及び／又は相互作用する可能性があることをさらに意味し得る。例えば、「結合される」は、２つ以上の要素が互いに接触せず、しかし別の要素又は中間の要素を介して一緒に間接的に結びつけられることを意味し得る。最後、用語の「on」、「overlying」及び「over」が、下記の説明及び請求項において使用され得る。「on」、「overlying」及び「over」は、２つ以上の要素が互いに直接物理的に接触することを意味するように用いられ得る。しかしながら、「over」は、さらに、２つ以上の要素が互いに接触していないことを意味し得る。例えば、「over」は、１つの要素が別の要素の上にあり、しかし互いに接触しないことを意味することがあり、２つの要素の間に別の１つ又は複数の要素を有し得る。さらに、用語「及び／又は」は、「及び」を意味することがあり、「又は」を意味することがあり、「排他的な又は」を意味することがあり、「１つ」を意味することがあり、「すべてでなく、いくつか」を意味することがあり、「いずれでもない」を意味することがあり、かつ／あるいは「双方」を意味することがある。しかしながら、請求される対象事項の範囲は上記の点において限定されない。下記の説明及び／又は請求項において、用語「含む」及び「含める」とその派生物とが用いられることがあり、互いに対する同義語として意図される。
【０００８】
次に図１を参照して、１つ以上の実施形態に従う１つ以上の専用（dedicated）ネットワークノードを含むネットワークアーキテクチャの図が論じられる。図１は、ネットワーク１００の一例示的なアーキテクチャを示しており、ネットワーク１００は、１つ以上のレガシーノード、例えば、強化型ノードＢ（enhanced  Node  B）（ｅＮＢ）、モビリティマネジメントエンティティ（mobility  management  entity）（ＭＭＥ）／サービングゲートウェイ（Serving  Gateway）（Ｓ−ＧＷ）１１２、及び／又はパケットゲートウェイ（Ｐ−ＧＷ）１１４などと、１つ以上の専用ノード、例えば、専用ｅＮＢ１１６、専用ＭＭＥ／Ｓ−ＧＷ１１８、及び／又は専用Ｐ−ＧＷ１２０などとを含む。ネットワーク１００の無線アクセスネットワーク（ＲＡＮ）及び／又は発展型ユニバーサル地上波無線アクセスネットワーク（Evolved  Universal  Terrestrial  Radio  Access  Network）（Ｅ−ＵＴＲＡＮ）１２２部分上で、専用ｅＮＢ１１６が、Ｘ２インターフェースを介してレガシーｅＮＢ１１０に相互接続され得ることが仮定される。さらに、レガシーｅＮＢ１１０及び専用ｅＮＢ１１６は、Ｓ１インターフェースを介して、レガシーＭＭＥ／Ｓ−ＧＷ１１２及び／又は専用ＭＭＥ／Ｓ−ＧＷ１１８に相互接続されることができる。ネットワーク１００の発展型パケットシステム（Evolved  Packet  System）（ＥＰＳ）１２４部分上で、専用ＭＭＥ／Ｓ−ＧＷ１１８は、Ｓ１０／Ｓ１１インターフェースを介してレガシーＭＭＥ／Ｓ−ＧＷ１１２に相互接続されることができ、これにおいて、Ｓ１０インターフェースはＭＭＥを相互接続するように利用され、Ｓ１１インターフェースはＳ−ＧＷを相互接続するように利用される。さらに、ネットワーク１００のＥＰＳ１２４部分上で、レガシーＭＭＥ／Ｓ−ＧＷ１１２は、Ｓ５／Ｓ８インターフェースを介してレガシーＰ−ＧＷ１１４と相互接続することができる。同様に、専用ＭＭＥ／Ｓ−ＧＷ１１８は、Ｓ５／Ｓ８インターフェースを介して専用Ｐ−ＧＷ１２０と相互接続することができる。レガシーＰ−ＧＷ１１４及び専用Ｐ−ＧＷ１２０は、Ｓ１４インターフェースを介してアクセスネットワーク発見及び選択機能（Access  Network  Discovery  and  Selection  Function）（ＡＮＤＳＦ）１２６と相互接続することができる。１つ以上の実施形態において、ユーザ機器（ＵＥ）マシンタイプ通信（ＭＴＣ）装置１２８が、ネットワーク１００に結合し、レガシーネットワークノードのうち任意のものに接続することができ、必要に応じて、１つ以上の専用ネットワークノードに接続することができる。
【０００９】
次に図２を参照して、１つ以上の実施形態に従う、所与のユーザ機器が適切な専用ノードに接続する方法の図が論じられる。図２に示されるとおり、ブロック２１０において、ユーザ機器（ＵＥ）１２８が、マシンタイプ通信（ＭＴＣ）装置として、ネットワーク１００に接続する。ブロック２１２において、ＵＥ１２８は、場合により、専用強化型ノードＢ（ｅＮＢ）１１６と通信することを選択することができる。ブロック２１４において、ＵＥ１２８は、場合により、専用モビリティマネジメントエンティティ（ＭＭＥ）及び／又は専用サービングゲートウェイ（Ｓ−ＧＷ）１１８と通信することを選択することができる。ブロック２１６において、ＵＥ１２８は、場合により、専用パケットゲートウェイ（Ｐ−ＧＷ）１２０と通信することを選択することができる。ブロック２１８において、ＵＥ１２８は、セルタイプ選好（preference）を選択することができる。方法２００のステップの詳細が、以下でさらに詳細に論じられる。
【００１０】
１つ以上の実施形態において、図２の方法２００の１つ又は様々なブロックが複数の配置において組み合わせられて、ネットワーク１００の様々な専用ノードに接続するための、ＵＥ１２８などの専用装置の制御に対する完全な解決策のうちの一部分を提供することができる。図２の方法２００のブロックの様々な組み合わせ及び／又は下位組み合わせが、さらに、独立して機能する。１つ以上の実施形態において、用語のＵＥ、専用ＵＥ、専用装置、ＭＴＣ装置、及びＵＥ  ＭＴＣアプリケーションが、本明細書において交換可能に使用され得る。特別なカテゴリのｅＮＢが、さらに、専用ＭＴＣノード、低コストｅＮＢ、低コストＭＴＣ  ｅＮＢ、ＭＴＣ  ｅＮＢなどとして参照されることがあり、こうした特別なカテゴリのｅＮＢが、対応する専用コアネットワークエンティティ、例えば、特別な専用ＭＭＥ、特別な専用Ｓ−ＧＷ、特別な専用Ｐ−ＧＷなどと、さらに従来のコアネットワーク及び／又は無線ネットワークエンティティとに相互接続されることができ、請求される対象事項の範囲は上記の点において限定されない。
【００１１】
別の例として、ＭＴＣ  ｅＮＢが、スモールセルのｅＮＢを含み得る。上記スモールセルｅＮＢが、デュアルコネクティビティ（dual  connectivity）の文脈においてマクロセルｅＮＢと関連して動作する場合、専用スモールセルｅＮＢは、マスタｅＮＢ（ＭｅＮＢ）としてか又はセカンダリｅＮＢ（ＳｅＮＢ）としてかのいずれかで動作することができる。さらに、スモールセルｅＮＢは、キャリアアグリゲーション（carrier  aggregation）によって該ｅＮＢに関連付けられた複数のサービングセルを有して、セルグループを作成することができる。スモールセルｅＮＢの役割に依存して、サービングセルの関連付けられたグループは、マスタセルグループ（ＭＣＧ）又はセカンダリセルグループ（ＳＣＧ）として参照されることができる。しかしながら、請求される対象事項の範囲は上記の点において限定されない。
【００１２】
次に図３を参照して、１つ以上の実施形態に従う、パワーセービングモードに少なくとも部分的に基づく初期アタッチ（initial  attach）の間のユーザ機器のリダイレクションの方法の図が論じられる。図３の方法３００は、ユーザ機器（ＵＥ）１２８が如何にして図１のネットワーク１００の１つ以上の専用ネットワークノードを選択し、あるいはそうでなければ該専用ネットワークノード向けられることができるかの１つのオプションを例示している。図３に示されるオプションにおいて、パワーセービングモード（ＰＳＭ）が、キャリア及び／又はネットワーク選択をリダイレクトする（redirecting）ためのトリガとして利用されることができる。１つ以上の実施形態において、パワーセービングモード（ＰＳＭ）は、第３世代パートナーシッププロジェクト（３ＧＰＰ）標準のリリース１２に記載されるとおり、無線リソース制御（ＲＲＣ）  ＲＲＣ＿ＩＤＬＥモードの一部であり得る。しかしながら、請求される対象事項の範囲は上記の点において限定されない。こうしたパワーセービングモードは、電力を節約するためにより長い不活動の期間を有するＵＥ１２８を対象にすることができる。パワーセービングモードにおいて、アクセス層（Access  Stratum）が非アクティブにされることができ、ＵＥ１２８は、何らかのアイドルモード活動、例えば、ページングチャネルの監視、セル選択及び／又は再選択のための測定の実行などを実行しなくてもよい。
【００１３】
最初、ステップ３１０において、ＵＥ１２８は、ＲＲＣ接続要求メッセージをｅＮＢ１１０に送信することができ、ステップ３１２において、ｅＮＢ１１０は、ＲＲＣ接続セットアップメッセージをＵＥ１２８に送信することによって応答することができる。ステップ３１４において、ＵＥ１２８は、ＲＲＣ接続セットアップ完了及び非アクセス層（non-Access  Stratum）（ＮＡＳ）メッセージをｅＮＢ１１０に送信する。ＵＥ１２８が、ステップ３１４においてｅＮＢ１１０に送信されるアタッチ／トラッキングエリアアップデート（ＴＡＣ）要求メッセージとして、ＲＲＣ接続セットアップ完了及びＮＡＳメッセージ内にＴ３３２４タイマ値を含むとき、ＰＳＭの利用がＵＥ１２８によって要求されることができる。次いで、ステップ３１６において、ｅＮＢ１１０は、メッセージを初期ＵＥメッセージＮＡＳとしてモビリティマネジメントエンティティ（ＭＭＥ）１１２にフォワードする。ＭＭＥ１１２が、ＵＥ１２８によるＰＳＭの使用を受け入れる場合、ＭＭＥ１１２は、対応する受け入れメッセージの中で同一の又は異なるＴ３３２４タイマ値を用いて応答することになる。
【００１４】
特定のトラフィックタイプ又は特性を用いてＵＥ１２８に対してなされる特定の区別が存在しないとき、他のオプションが利用されて、上記ＵＥ１２８を扱い、あるいは区別してもよい。例えば、ＵＥ１２８がＰＳＭモードを使用することになるとの情報は、ＰＳＭモードが長い期間の時間大抵続くディープスリープモードとして理解され、ＵＥ１２８はダウンリンクトラフィックに関して到達可能でなく、上記情報がＭＭＥ１１２によって利用されて、ＵＥ１２８により送信されるＲＲＣ接続要求メッセージを拒絶するか、又は、現在のセルが専用ネットワークキャリア周波数に気づく場合、ＵＥ１２８とのＲＲＣ接続を解放し、ＵＥ１２８をネットワーク１００の異なるキャリア及び／又は専用ノードにリダイレクトするかのいずれかを、ｅＮＢ１１０に示すことができる。例えば、ステップ３２０において、ｅＮＢ１１０は、ｅＮＢ１１０を介してＵＥ１２８にＲＲＣ接続解放メッセージを送信し、このメッセージは、専用ｅＮＢ１１６のキャリア周波数を有するredirectCarrier情報要素（information  element）を含むことができる。ステップ３１８において、ＭＭＥ１１２は、Ｓ１−ＡＰ初期コンテキスト解放（S1-AP  Initial  Context  Release）コマンドを介して、ｅＮＢ１１０とのＳ１接続を解放する原因、例えば、ＰＳＭ指標、ＵＥ不活動通知、ＵＥ  Ｉｄｌｅ＿ＰＳＭ通知などを示すことができる。ステップ３２２において、ｅＮＢ１１０は、ＭＭＥ１１２に対して送信されるＳ１−ＡＰ初期コンテキスト解放メッセージを介して応答することができる。
【００１５】
次に図４を参照して、１つ以上の実施形態に従う、専用強化型ノードＢへのユーザ機器のハンドオーバの方法の図が論じられる。図４の方法４００は、ユーザ機器（ＵＥ）１２８が如何にしてハンドオーバを用いて図１のネットワーク１００の１つ以上の専用ネットワークノードを選択し、あるいはそうでなければ該１つ以上の専用ネットワークノードに向けられることができるかの、一オプションを例示している。無線リソース制御（ＲＲＣ）接続解放タイプのメッセージが、ＵＥ１２８をあるキャリアから別のキャリアにリダイレクトするための一オプションであり得ると同時に、通常のハンドオーバ手順が、ＲＲＣ＿ＣＯＮＮＥＣＴＥＤモードにおけるＵＥ１２８を別のセルに移動することに利用されてもよい。輻輳の間のロードバランシングのために、あるいは、他のトリガ、例えば、パワーセービングモード（ＰＳＭ）指標、コアネットワーク（ＣＮ）支援、新しいサービス要求、及び／又は能力交換に基づいて、ｅＮＢ１１０は、強化されたサービスとスモールデータ又はマシンタイプ通信（ＭＴＣ）ネットワークなどの特定の特性を満たすこととのために、専用ｅＮＢ１１６により制御され、及び／又はＵＥ１２８が通信するのにより良いであろう専用ＭＭＥ１１８のサポートを有する、別の適切なセルを見つけることができる。図４の方法４００は、専用ｅＮＢ１１６に対する１つのこうした例示的なハンドオーバ手順を示している。ステップ４１０においてＵＥ１２８によってｅＮＢ１１０に提供される既存の測定報告メッセージが、ｅＮＢ１１０によって利用されて、ＵＥ１２８を専用ｅＮＢ１１６にハンドオーバするのがより良いと決定することができ、これにおいて、例えば、専用ｅＮＢ１１６は、ＵＥ１２８のトラフィック特性にマッチする（matching）能力のあるスモールセルを含む。こうした配置において、専用ｅＮＢ１１６へのハンドオーバをトリガするための１つの条件が、特定の周波数及び／又は専用ｅＮＢ１１６が特定の専用サービスに対して適切であるとｅＮＢ１１０が知っている場合、及び、ＵＥ１２８がステップ４１０において送信されるレガシー測定報告メッセージを通して上記サービスを報告するときであり得る。専用ｅＮＢ１１６へのハンドオーバをトリガするための別の条件は、ステップ４１０において送信される現在の測定報告の中に新しいインジケータが追加されて、１つ以上の特定タイプの専用ｅＮＢ１１６が検出されたと示す場合であり得る。別法として、新しいメッセージが利用されて、ＵＥ１２８がＲＲＣ＿ＣＯＮＮＥＣＴＥＤモードである間に１つ以上の特定タイプの専用ｅＮＢ１１６がＵＥ１２８によって測定手順の間に検出されたことを、現在関連付けられているｅＮＢ１１０に対して示してもよい。こうした配置は、ＵＥにより支援された専用ｅＮＢ選択の何らかの形態として考えられることができ、ネットワーク１００は、ハンドオーバ判断４１２を実行して、内部実装に基づいてＵＥ１２８を専用ｅＮＢ１１６にハンドオーバすべきか否かを決めるかことができる。ＵＥ１２８を専用ｅＮＢ１１６にハンドオーバするように決められる事象において、ステップ４１４において、ハンドオーバ準備メッセージが、現在接続されているｅＮＢ１１０から専用���ＮＢ１１６に送信されることができ、ステップ４１６において、専用ｅＮＢ１１６は、現在接続されているｅＮＢ１１０に対してハンドオーバコマンドを発行することができる。次いでｅＮＢ１１０が、ステップ４１８において、ＲＲＣ接続再構成メッセージをＵＥ１２８に送信し、したがって、ＵＥ１２８は、専用ｅＮＢ１１６に接続するように再構成されることができる。
【００１６】
次に図５を参照して、１つ以上の実施形態に従う、専用及び非専用の無線アクセスノード及びコアネットワークノードの相互作用の図が論じられる。図５は、レガシー無線アクセスネットワーク（ＲＡＮ）５１０がレガシーコアネットワーク（ＣＮ）５１２をサポートすることが可能である第１の場合を例示している。一実施形態において、レガシーＲＡＮ５１０は、専用ＣＮ（Ａ）５１６のサポートを含むことができ、したがって、レガシーＲＡＮ５１０は、レガシーＣＮ５１２又は専用ＣＮ（Ａ）５１６のいずれかと、直接的にか又は専用ＲＡＮ（５１４）を使用することによってかのいずれかで、インターフェースをとることができる。１つの具体的な実施形態において、第１のタイプの、タイプ（Ａ）として示される専用ＲＡＮ（Ａ）５１４は、同様にタイプ（Ａ）である専用ＣＮ（Ａ）５１６とインターフェースをとることが可能である。別の実施形態において、専用ＲＡＮ（Ａ）（Ｂ）５１８が、タイプ（Ａ）である専用ＣＮ（Ａ）５１６と、及び、タイプ（Ｂ）である専用ＣＮ（Ｂ）５２０とインターフェースをとることが可能であり得る。
【００１７】
ユーザ機器（ＵＥ）１２８が如何にして１つ以上のネットワークノードを選択し、あるいはそうでなければ該１つ以上のネットワークノードに向けられることが可能であるかに対する１つのオプションが、専用ｅＮＢ１１６のサポートと、可能性として、サポートされることが可能な専用の特性、サービス、又はカテゴリの種類とを識別する新しいブロードキャスト情報要素（ＩＥ）を使用することを含む。上記種類の情報は、異なる方法において伝達されることができる。ネットワークサポートを示す第１の新しい方法が、システム情報、例えば、第３世代パートナーシッププロジェクト（３ＧＰＰ）標準に定義されるとおりのシステム情報ブロック２（ＳＩＢ２）の一部として、専用サポートのための新しい任意的なアクセスクラス排除（barring）指標を含み得る。しかしながら、請求される対象事項の範囲は上記の点において限定されない。このアクセスクラス排除は、ＵＥ１２８が特定の専用サービスのサポートに起因してネットワーク１００にアクセスしようと試みる場合について、ＵＥ１２８アクセスが排除されるときを示すことができる。例えば、レガシーＲＡＮ５１０のｅＮＢ１１０が、レガシーＣＮ５１２に、さらに、特定の特別なサービスをサポートする専用ＣＮ（Ａ）５１６に、接続されることができる。レガシーＲＡＮ５１０のｅＮＢ１１０は、レガシーＣＮ５１２において終端しているすべての他のＵＥ１２８を排除することなく、専用ＣＮ５１６にアクセスするＵＥ１２８を排除したい場合があり得る。専用ネットワークが如何にして分類されるかに依存して、異なるアクセス排除クラスが定義されてもよく、例えば、拡張アクセス排除（extended  access  barring）（ＥＡＢ）専用スモールデータ、ＥＡＢ専用周期データであり、あるいは、異なる汎用カテゴリが定義されてもよく、例えば、ＥＡＢ専用カテゴリ１、ＥＡＢ専用カテゴリ２などである。
【００１８】
ネットワークサポートを示す別の新しい方法が、システム情報、例えばＳＩＢ２の一部として、特別な専用ネットワークのサポートのための新しい任意的なインジケータを含んでもよく、上記システム情報は、専用ｅＮＢ１１６及び／又は専用ＣＮ５１６のサポートを示す新しい情報要素を含むことができる。例えば、図５に示されるとおり、専用ＣＮサポートを有するレガシーＲＡＮ５１０は、専用ＣＮ５１６のサポートと、さらに、レガシーＲＡＮ５１０が専用の使用法に対してのみ最適化されるときとを示すことができる。こうしたサポートは、さらに、専用ネットワークの特定カテゴリを参照し得る。別の実施形態において、専用ＲＡＮ５１８は、２タイプの専用コアネットワーク、例えば、専用ＣＮ（Ａ）５１６及び専用ＣＮ（Ｂ）５２０などをサポートすることができる。
【００１９】
ネットワークサポートを示す別の新しい方法が、マシンタイプ通信（ＭＴＣ）ＵＥ１２８を専用ｅＮＢ１１６にリダイレクトし又はハンドオーバすることに固有の新しい無線リソース制御（ＲＲＣ）メッセージを定義するオプションを含み得る。こうした新しい制御メッセージが定義されて、ＭＴＣ  ＵＥ１２８をリダイレクトし又はハンドオーバすることができ、あるいは、例えば、専用ｅＮＢ１１６に対するＸ２インターフェースが存在しないときに、既存のハンドオーバ又はリダイレクトメッセージがこのｅＮＢ１１６によって再使用され、必要な情報要素のみを運んでもよい。新しいハンドオーバメッセージが、具体的にＵＥ１２８を専用ネットワークに移動するために定義されてもよく、利用されることが可能であり、あるいは、現在のハンドオーバメッセージが強化されてもよく、あるいは、対象の専用ｅＮＢ１１６に対して有用であり得る特定の情報が更新されてもよい。
【００２０】
ネットワークサポートを示すさらに別の新しい方法が、コアネットワーク支援情報、又はＵＥ１２８に固有の情報を使用するオプションを含んでもよく、該情報は、例えば、キャリア及び／又はネットワーク選択をリダイレクトするためのトリガとして、ＵＥ１２８又はホーム加入者サービス（Home  Subscriber  Service）（ＨＳＳ）から来る。３ＧＰＰ標準のリリース１２の一部として、装置トラフィック又は活動パターン構成に関連するコアネットワーク支援情報が含まれるであろう。１つ以上の実施形態において、モビリティマネジメントエンティティ（ＭＭＥ）１１２及び／又はｅＮＢ１１０が、上記種類の情報を使用して、ＵＥ１２８に対して異なるセルに接続するように示唆するべきかを決定することができる。こうした判断は、このトラフィック関連の支援情報が利用可能であるとき、ＭＭＥ１１２又はｅＮＢ１１０によって行われることができ、その時点で、ネットワーク１００は、接続を解放することを決め、redirectCarrierメッセージ、又は、接続のために代わって使用されるべき上記専用ｅＮＢ１１６に関する情報のリストを示すことができる。場合により、ネットワーク１００は、例えば本明細書に論じられるとおりの、他のノードに対するハンドオーバをトリガしてもよい。
【００２１】
次に図６を参照して、１つ以上の実施形態に従う、専用の又は特別なモビリティマネジメントエンティティを選択するためのＳ１シグナリングの図が論じられる。１つ以上の実施形態において、図１に示されるとおりの専用ｅＮＢ１１６が、特別なカテゴリのモビリティマネジメントエンティティ（ＭＭＥ）１１２、例えば、マシンタイプ通信（ＭＴＣ）目的に対して専用にされたＭＭＥ１１２、又は、専用のオーバーレイネットワークに属する低コストＭＭＥ１１２を選択して、特別なクラスの装置をサポートすることができる。特別な又は専用のＭＭＥ１１２を選択するための第１のオプションは、Ｓ１シグナリングを使用することを含み得る。図６の実施形態は、専用コアネットワーク（ＣＮ）ノードがレガシー無線アクセスネットワーク（ＲＡＮ）ノードとさらに専用ＲＡＮノードとに接続される場合に対して適用されることができる。こうした実施形態において、特別なカテゴリのための非専用の又はレガシーのＭＭＥ１１２は、適切な情報を専用ＲＡＮノード又は非専用ＲＡＮノードに伝達することになる。１つ以上の実施形態において、ＭＭＥ１１２は、Ｓ１インターフェースを通じて、既存のＳ１メッセージを更新することによってか、又は新しいＳ１メッセージを定義することによってかのいずれかで、上記の特別なカテゴリをｅＮＢ１１０に対して示すことができる。一例として、２つのＳ１シグナリングオプションが利用されて、ＭＭＥ１１２によってトリガされるとおり、特別な又は専用のＭＭＥ１１８を選択することができる。こうした２つのＳ１メッセージがＭＭＥ１１２によって利用されて、ｅＮＢ１１０を特別な又は専用のＭＭＥ１１８にリダイレクトすることができる。専用ＭＭＥ１１８に関する情報が、ステップ６１０においてＭＭＥ１１２からＵＥ１２８に送信されるＳ１  ＭＭＥ構成更新メッセージの中の新しい情報要素redirectDedicatedMMEにおいて伝達されることができる。応答において、ＵＥ１２８は、ステップ６１２において、Ｓ１  ＭＭＥ構成更新肯定応答（Acknowledgment）（ＡＣＫ）メッセージをＭＭＥ１１２に送信することができる。同様に、ＵＥ１２８は、ステップ６１４において、Ｓ１セットアップ要求メッセージをＭＭＥ１１２に送信することができ、ＭＭＥ１１２は、ステップ６１６において、redirectSpecialMME情報要素を有するＳ１セットアップ失敗メッセージをＵＥ１２８に送信することができる。
【００２２】
専用の又は特別なモビリティマネジメントエンティティを選択するための別のオプションが、ｅＮＢ広告及び／又はブロードキャスト情報を使用することを含み得る。所与のネットワーク１００において、専用ｅＮＢ１１６が、特別な又は専用のＭＭＥ１１８を含むＭＭＥの特定のセットに接続される一方、ＵＥ１２８のパブリックランドモバイルネットワーク（ＰＬＭＮ）内の他のセル及び／又はｅＮＢ１１０と、特別な又は専用のＭＭＥ１１８に関連付けられていないセル及び／又はｅＮＢ１１０とが存在し得る可能性があり得る。別法として、特別な又は専用のＭＭＥ１１８のカテゴリが、特定の一意の特性をサポートするサブカテゴリを有してもよく、したがって、異なるｅＮＢ１１０又は専用ｅＮＢ１１６が、１つ以上の異なるサブカテゴリに関連付けられることができる。例示的なカテゴリ又はサブカテゴリは、データの頻繁なバーストのサポート、頻繁でないタイプのデータのサポート、パワーセービングモード（ＰＳＭ）のサポートなどに基づくことができる。セル及び／又はｅＮＢ１１０、又は専用ｅＮＢ１１６は、こうした情報を広告する（advertise）ことができ、これに応じて、ＵＥ１２８及び／又は他の関心のある装置は、ｅＮＢ１１０又は専用ｅＮＢ１１６に接続することができる。
【００２３】
以下に図示される例示的な抽象構文記法１（ＡＳＮ．１）において、ｅＮＢ１１０又は専用ｅＮＢ１１６は、該ｅＮＢ１１０又は専用ｅＮＢ１１６が接続されるモビリティマネジメントエンティティ（ＭＭＥ）カテゴリを、新しいシステム情報ブロック（ＳＩＢ）において、カテゴリ及びクラスマッピングが予め定義されているところの所与のフィールドsupportMMEcatX、supportDedicatedMMEclassX、又はsupportSpecialMMEIoTsupportedによって広告することができる。以下の例において、ＭＭＥカテゴリのリストを使用する１つの例示的な方法が図示される。
【００２４】
【数１】
0006374021.tif 000002
１つ以上の実施形態において、図１に示されるとおりの専用パケットゲートウェイ（Ｐ−ＧＷ）１２０が、Ｐ−ＧＷ選択機能を用いて選択されることができる。例えば、専用Ｐ−ＧＷ選択のための特定のアクセスポイント名（ＡＰＮ）が利用されることができ、これにおいて、特定アクセスポイント名（ＡＰＮ）構成データが、ホーム加入者サービス（Home  Subscriber  Service）（ＨＳＳ）におけるユーザ機器（ＵＥ）加入の一部として構成されることができる。この情報は、初期アタッチの一部としてモビリティマネジメントエンティティ（ＭＭＥ）１１２に提供されることができ、上記情報は、ＭＭＥ１１２が専用Ｐ−ＧＷ１１８を選択することを可能にする。特定のアクセスポイント名（ＡＰＮ）は、さらに、ＵＥ１２８の中に構成されてもよく、ＵＥ１２８は、デフォルトのアクセスポイント名（ＡＰＮ）に代わって、特定のアクセスポイント名（ＡＰＮ）の要求を選択することができる。１つ以上の実施形態において、ＨＳＳ加入は、専用Ｐ−ＧＷ選択のための情報を提供し、例えば、ＨＳＳは、特定のアクセスポイント名オペレータ識別子（ＡＰＩ−ＯＩ）の置換を提供することができ、これをＭＭＥ１１２が使用して、ドメインネームサーバ（ＤＮＳ）問合せのためのアクセスポイント名完全修飾ドメイン名（Fully  Qualified  Domain  Name）（ＡＰＮ−ＦＱＤＮ）を構築することができる。ＤＮＳクエリは、専用Ｐ−ＧＷ１２０のアドレスを提供することができ、例えば、
Format  P-GW<dedicated>.MCC<mcc>.MNC<mnc>.gprs<dedicated>
が、低アクセス優先順位、マシンタイプ通信（ＭＴＣ）などのキーワードによって置換されることができる。直接的命名機関ポインタ（Straightforward-Naming  Authority  Pointer）（Ｓ−ＮＡＰＴＲ）のための新しい「サービスパラメータ」がある。Ｓ−ＮＡＰＴＲ手順は、例えば、インターネットエンジニアリングタスクフォース（ＩＥＴＦ）のコメント要求（ＲＦＣ）３９５８及び／又は第３世代パートナーシッププロジェクト（３ＧＰＰ）技術仕様（ＴＳ）２９．３０３に定義され得る。こうした新しいサービスパラメータが、専用Ｐ−ＧＷの選択に対して下記のとおり定義され得る：
“x-3gpp-pgw:x-<interfacename>-<protocol>-<dedicated-keyword>”
これにおいて、インターフェースは、Ｓ５、Ｓ８、Ｓ２ａ、Ｓ２ｂを含むことができ、プロトコルは、汎用パケット無線サービス（General  Packet  Radio  Service）（ＧＰＲＳ）トンネリングプロトコル（ＧＴＰ）又はプロキシモバイルインターネットプロトコルバージョン６（ＩＰｖ６）（ＰＭＩＰ）を含むことができ、専用キーワードは、マシンタイプ通信（ＭＴＣ）、低アクセス優先順位指標（ＬＡＰＩ）などを含むことができる。同じ手順が、他の専用ネットワークノード、例えば、サービングゲートウェイ（Ｓ−ＧＷ）、サービングＧＰＲＳサポートノード（ＳＧＳＮ）、ゲートウェイＧＰＲＳサポートノード（ＧＧＳＮ）などの選択のために適用されてもよく、請求される対象事項の範囲は上記の点において限定されないことが留意されるべきである。
【００２５】
次に図７Ａ〜図７Ｂ、図８Ａ〜図８Ｂ、図９Ａ〜図９Ｂ、及び図１０Ａ〜図１０Ｂを参照して、１つ以上の実施形態に従う、好ましいセルタイプのための図又はアクセスネットワーク発見及び選択機能（Access  Network  Discover  and  Selection  Function）（ＡＮＤＳＦ）管理オブジェクト（ＭＯ）並びに新しいスタンドアロン管理オブジェクト（ＭＯ）が論じられる。オープンモバイルアライアンス装置管理（ＯＭＡ−ＤＭ）手順を用いて、ユーザ機器（ＵＥ）１２８が、オープンモバイルアライアンス管理オブジェクト（ＯＭＡ−ＭＯ）を介してセルの好ましいタイプを用いて構成されることができる。ＵＥ１２８が多面的であり、複数の異なるサービスをサポートし、時に専用ネットワークに接続することを好み、時に選好を有さない可能性があるので、選択は、ＵＥ１２８が無線リソース制御（ＲＲＣ）接続を確立しているときに行われることができる。上記の場合に、ＵＥ１２８は、セルにキャンプオンしていてもよく、あるいはしていなくてもよく、ＵＥ１２８は、特定のサービスのためのＲＲＣ接続を確立する前に、セルに関する情報をチェックすることになる。それから、ＵＥ１２８は、例えば、システム情報ブロック１（ＳＩＢ１）情報などの、セルの中でブロードキャストされる情報を読み出すことによって、各セルのタイプを知る。接続確立を開始するとき、ＵＥ１２８は、複数のセルが利用可能であると仮定して、ＯＭＡ−ＭＯ規則に基づいて好ましいセルであるセルを選ぶことになる。好ましいセルタイプの構成は、新しいＯＭＡ−ＭＯを介して、又は、既存のＯＭＡ−ＭＯ規則を強化すること、例えば、アクセスネットワーク発見及び選択機能（ＡＮＤＳＦ）のための規則を強化してセルの好ましいタイプをさらに含むことなどによって、行われることができる。こうした規則を他の既存の管理オブジェクトに含めることがさらに可能であり、請求される対象事項の範囲は上記の点において限定されない。上記の例には、ＵＥに基づく場合のセルタイプ選好構成、アクセスポイント名（ＡＰＮ）に基づく場合のセルタイプ選好構成、フローに基づく場合（サービス固有）又はアプリケーションのケースごとのセルタイプ選好構成が含まれる。
【００２６】
ＵＥに基づく場合のセルタイプ選好構成の１つ以上の実施形態において、ＵＥ１２８が専用ネットワークに接続することを優先する（give  preference）べきかを知るために、ＵＥ１２８は、そのようなものとして予め構成されることができる。ＵＥ１２８を予め構成するための１つの方法が、アクセスネットワーク発見及び選択機能（ＡＮＤＳＦ）管理オブジェクト（ＭＯ）を使用することによるものであり、これにおいて、“Cell  Type  Preferred”が追加されて、セルの好ましいタイプを含むことができる。以下の表１、表２、及び表３において、新しいCellTypePreferredリーフのとり得る値の例が与えられ、これにおいて、選好指標は、専用ネットワーク、ＭＭＥカテゴリ、又はＲＡＮノードカテゴリごとに与えられることができる。CellTypePreferredは、構成において、任意的なパラメータとすることができる。CellTypePreferredパラメータマップは、
<X>/Policy/CellTypePreferred
を含む。CellTypePreferredリーフは、
-  Occurrence:  One
-  Format:  int
-  Access  Types:  Get,  Replace
-  Values:  <CellTypePreferred>
優先順位付けされたセルタイプを示す。
【００２７】
CellTypePreferredパラメータのとり得る値が、以下の表１、表２、及び表３に指定される。
【００２８】
【表１】
0006374021.tif 000003
表１は、CellTypePreferredリーフ（専用ネットワーク指標）のとり得る値の例である。
【００２９】
【表２】
0006374021.tif 000004
表２は、CellTypePreferredリーフ（ＭＭＥカテゴリ選好指標）のとり得る値の例である。
【００３０】
【表３】
0006374021.tif 000005
表３は、CellTypePreferredリーフ（ＲＡＮノードカテゴリ選好指標）のとり得る値の例である。
【００３１】
表１、表２、及び表３に示されるビット数は変動してもよく、示唆されている値は例として図示されていることが留意されるべきである。使用されているマッピング及び特定の名前は、単に例として図示されている。１つ以上の実施形態において、表１、表２、及び／又は表３が利用されて、ＵＥ１２８が接続することを優先するべきであるセルのタイプを識別することができる。
【００３２】
別の実施形態の、アクセスポイント名（ＡＰＮ）に基づく場合のセルタイプ選好構成において、１つ以上のＡＰＮが、セルの好ましいタイプを用いて構成されることができる。アプリケーションが、特定のＡＰＮに向けた接続の確立を要求している場合、ＵＥ１２８は、例えば、利用可能な複数のセルがある場合、ＡＰＮのタイプに基づいて好ましいものであるセルを選ぶことになる。
【００３３】
さらに別の実施形態の、フローに基づく場合（サービス固有）のセルタイプ選好構成において、１つ以上のアプリケーションが、セルの好ましいタイプを用いて構成されることができる。アプリケーションが接続の確立を要求している場合、ＵＥ１２８は、例えば、利用可能な複数のセルがあると仮定して、アプリケーションのタイプに基づいて好ましいものであるセルを選ぶことになる。このことは、複数のアプリケーションのためのＩＰフローごとに、又はアプリケーションごとに個々に、行われることができる。
【００３４】
次に図１１を参照して、１つ以上の実施形態に従う、１つ以上の専用ネットワークノードを介した通信を可能な情報処理システム（information  handling  system）のブロック図が論じられる。図１１の情報処理システム１１００は、例えば、ＵＥ１２８、ｅＮＢ１１０、専用ｅＮＢ１１６、ＭＭＥ／Ｓ−ＧＷ１１２、専用ＭＭＥ／Ｓ−ＧＷ１１８、Ｐ−ＧＷ１１４、専用Ｐ−ＧＷ１２０、ＡＮＤＳＦ１２６を含む上記で本明細書において説明された要素のうち任意の１つ以上を、具体的な装置のハードウェア仕様に依存したより多くの又はより少ないコンポーネントと共に、有形に（tangibly）具現化することができる。情報処理システム１１００は、いくつかのタイプのコンピューティングプラットフォームのうちの１つの例を表すが、情報処理システム１１００は、より多くの又はより少ない要素、及び／又は図１１に示されるものとは異なる要素の配置を含んでもよく、請求される対象事項の範囲は上記の点において限定されない。
【００３５】
１つ以上の実施形態において、情報処理システム１１００は、アプリケーションプロセッサ１１１０及びベースバンドプロセッサ１１１２を含み得る。アプリケーションプロセッサ１１１０は、汎用目的プロセッサとして利用されて、アプリケーションと情報処理システム１１００の様々なサブシステムとを実行することができる。アプリケーションプロセッサ１１１０は、シングルコアを含んでもよく、あるいは別法として、複数の処理コアを含んでもよく、これにおいて、コアのうち１つ以上がデジタルシグナルプロセッサ又はデジタルシグナル処理（ＤＳＰ）コアを含んでもよい。さらに、アプリケーションプロセッサ１１１０は、同じチップ上に配設されたグラフィックスプロセッサ又はコプロセッサを含んでもよく、あるいは別法として、アプリケーションプロセッサ１１１０に結合されたグラフィックスプロセッサが、別個の、ディスクリート（discrete）グラフィックスチップを含んでもよい。アプリケーションプロセッサ１１１０は、キャッシュメモリなどのオンボードメモリを含んでもよく、さらに、動作の間にアプリケーションを記憶し及び／又は実行する同期型ダイナミックランダムアクセスメモリ（ＳＤＲＡＭ）１１１４と、情報処理システム１１００が電源をオフにされるときでさえアプリケーション及び／又はデータを記憶するＮＡＮＤフラッシュ１１６となどの外部メモリ装置に結合されてもよい。１つ以上の実施形態において、情報処理システム１１００及び／又はそのコンポーネント若しくはサブシステムのうち任意のものを動作させ又は構成して、本明細書に説明されるとおりの仕方において動作するための命令が、非一時的記憶媒体を含む製造品上に記憶されることができる。１つ以上の実施形態において、記憶媒体は、本明細書において図示され及び説明されるメモリ装置のうち任意のものを含むことができ、しかしながら、請求される対象事項の範囲は上記の点において限定されない。ベースバンドプロセッサ１１１２は、情報処理システム１１００のためのブロードバンド無線機能を制御することができる。ベースバンドプロセッサ１１１２は、上記のブロードバンド無線機能を制御するためのコードをＮＯＲフラッシュ１１１８に記憶してもよい。ベースバンドプロセッサ１１１２は、ワイヤレスワイドエリアネットワーク（ＷＷＡＮ）送受信器１１２０を制御し、ＷＷＡＮ送受信器１１２０は、例えば、３ＧＰＰ  ＬＴＥ又はＬＴＥアドバンストネットワークなどを介した通信のために、ブロードバンドネットワーク信号を変調し及び／又は復調することに使用される。
【００３６】
一般に、ＷＷＡＮ送受信器１１２０は、これらに限られないが、下記を含む無線通信テクノロジー及び／又は標準のうち任意の１つ以上に従って動作することができる：グローバルシステムフォーモバイルコミュニケーション（Global  System  for  Mobile  Communications）（ＧＳＭ（登録商標））無線通信テクノロジー、汎用パケット無線サービス（ＧＰＲＳ）無線通信テクノロジー、エンハンストデータレートフォーＧＳＭエボリューション（Enhanced  Data  Rates  for  GSM  Evolution）（ＥＤＧＥ）無線通信テクノロジー、及び／又は第３世代パートナーシッププロジェクト（３ＧＰＰ）無線通信テクノロジー、例えば、ユニバーサルモバイル電気通信システム（ＵＭＴＳ）、フリーダムオブマルチメディアアクセス（ＦＯＭＡ）、３ＧＰＰロングタームエボリューション（ＬＴＥ（登録商標））、３ＧＰＰロングタームエボリューションアドバンスト（ＬＴＥ  Ａｄｖａｎｃｅｄ）、コード分割多重アクセス２０００（ＣＤＭＡ２０００）、セルラーデジタルパケットデータ（ＣＤＰＤ）、モビテックス（Mobitex）、第３世代（３Ｇ）、回線交換データ（ＣＳＤ）、高速回線交換データ（ＨＳＣＳＤ）、ユニバーサルモバイル電気通信システム（第３世代）（ＵＭＴＳ（３Ｇ））、ワイドバンドコード分割多重アクセス（ユニバーサルモバイル電気通信システム（Ｗ−ＣＤＭＡ（ＵＭＴＳ）））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサルモバイル電気通信システム時分割デュプレックス（ＵＭＴＳ−ＴＤＤ）、時分割コード分割多重アクセス（ＴＤ−ＣＤＭＡ）、時分割同期型コード分割多重アクセス（ＴＤ−ＣＤＭＡ）、第３世代パートナーシッププロジェクトリリース８（プレ第４世代）（３ＧＰＰ  Ｒｅｌ．８（プレ４Ｇ））、ＵＭＴＳ地上波無線アクセス（ＵＴＲＡ）、発展型ＵＭＴＳ地上波無線アクセス（Ｅ−ＵＴＲＡ）、ロングタームエボリューションアドバンスト（第４世代）（ＬＴＥアドバンスト（４Ｇ））、ｃｄｍａＯｎｅ（２Ｇ）、コード分割多重アクセス２０００（第３世代）（ＣＤＭＡ２０００（３Ｇ））、エボリューションデータオプティマイズド又はエボリューションデータオンリー（ＥＶ−ＤＯ）、アドバンストモバイルフォンシステム（第１世代）（ＡＭＰＳ（１Ｇ））、トータルアクセス通信システム／拡張トータルアクセス通信システム（Total  Access  Communication  System/Extended  Total  Access  Communication  System）（ＴＡＣＳ／ＥＴＡＣＳ）、デジタルＡＭＰＳ（第２世代）（Ｄ−ＡＭＰＳ（２Ｇ））、プッシュツートーク（ＰＴＴ）、モバイル電話システム（Mobile  Telephone  System）（ＭＴＳ）、改良モバイル電話システム（ＩＭＴＳ）、アドバンストモバイル電話システム（ＡＭＴＳ）、ＯＬＴ（Ｏｆｆｅｎｔｌｉｇ  Ｌａｎｄｍｏｂｉｌ  Ｔｅｌｅｆｏｎｉに対するノルウェー語、パブリックランドモバイルテレフォニー）、ＭＴＤ（Ｍｏｂｉｌｔｅｌｅｆｏｎｉｓｙｓｔｅｍ  Ｄに対するスウェーデン語の省略形、又は、モバイルテレフォニーシステムＤ）、パブリックオートメイテッドランドモバイル（Public  Automated  Land  Mobile）（Ａｕｔｏｔｅｌ／ＰＡ��Ｍ）、ＡＲＰ（Ａｕｔｏｒａｄｉｏｐｕｈｅｌｉｎに対するフィンランド語、「車載無線電話（car  radio  phone）」）、ＮＭＴ（北欧（Nordic）モバイルテレフォニー）、ＮＴＴ（日本電信電話）の大容量バージョン（Ｈｉｃａｐ）、セルラーデジタルパケットデータ（ＣＤＰＤ）、モビテックス、データＴＡＣ、統合デジタル強化ネットワーク（Integrated  Digital  Enhanced  Network）（ｉＤＥＮ（登録商標））、パーソナルデジタルセルラー（ＰＤＣ）、回線交換データ（ＣＳＤ）、パーソナルハンディフォンシステム（ＰＨＳ）、ワイドバンド統合デジタル強化ネットワーク（ＷｉＤＥＮ）、アイバースト（ｉＢｕｒｓｔ（登録商標））、無認可モバイルアクセス（Unlicensed  Mobile  Access）（ＵＭＡ）、３ＧＰＰ汎用アクセスネットワーク（Generic  Access  Network）又はＧＡＮ標準としてさらに参照される）、Ｚｉｇｂｅｅ（登録商標）、Ｂｌｕｅｔｏｏｔｈ（登録商標）、及び／又は一般的なテレメトリ送受信器、並びに一般的な任意タイプのＲＦ回路又はＲＦＩ感知可能回路。こうした標準は時間をかけて発展する可能性があり、かつ／あるいは新しい標準が公表される可能性があることが留意されるべきであり、請求される対象事項の範囲は上記の点において限定されない。
【００３７】
ＷＷＡＮ送受信器１１２０は、１つ以上のアンテナ１１２４にそれぞれ結合された１つ以上の電力増幅器１１２２に結合されて、ＷＷＡＮブロードバンドネットワークを介して無線周波数信号を送信し、受信する。ベースバンドプロセッサ１１１２は、さらに、１つ以上の適切なアンテナ１１２８に結合されたワイヤレスローカルエリアネットワーク（ＷＬＡＮ）送受信器１１２６を制御することができ、ＷＬＡＮ送受信器１１２６は、ＩＥＥＥ８０２．１１ａ／ｂ／ｇ／ｎ標準などを含む、Ｗｉ−Ｆｉ、Ｂｌｕｅｔｏｏｔｈ（登録商標）、及び／又は振幅変調（ＡＭ）若しくは周波数変調（ＦＭ）無線標準を介して通信することが可能であり得る。上記は、アプリケーションプロセッサ１１１０及びベースバンドプロセッサ１１１２についての単に例示的な実装であることが留意されるべきであり、請求される対象事項の範囲は上記の点において限定されない。例えば、ＳＤＲＡＭ１１１４、ＮＡＮＤフラッシュ１１１６、及び／又はＮＯＲフラッシュ１１１８のうち任意の１つ以上が、他タイプのメモリテクノロジー、例えば、磁気メモリ、カルコゲニド（chalcogenide）メモリ、相変化メモリ、又はオボニックメモリなどを含んでもよく、請求される対象事項の範囲は上記の点において限定されない。
【００３８】
１つ以上の実施形態において、アプリケーションプロセッサ１１１０は、様々な情報又はデータを表示するディスプレイ１１３０を駆動することができ、さらに、タッチスクリーン１１３２を介して、例えば指又はスタイラスを介して、ユーザからタッチ入力を受信することができる。環境光センサ１１３４が利用されて、情報処理システム１１００が動作しているところの環境光の量を検出して、例えば、ディスプレイ１１３０の明るさ又はコントラスト値を、環境光センサ１１３４により検出された環境光の強度の関数として制御することができる。１つ以上のカメラ１１３６が利用されて、画像を捕捉することができ、上記画像は、アプリケーションプロセッサ１１１０によって処理され、ＮＡＮＤフラッシュ１１１６に少なくとも一時的に記憶される。さらに、アプリケーションプロセッサは、情報処理システム１１００の場所、動き、及び／又は向きを含む様々な環境的属性の検出のために、ジャイロスコープ１１３８、加速度計１１４０、磁気計１１４２、オーディオコーダ／デコーダ（コーデック）１１４４、及び／又は適切なＧＰＳアンテナ１１４８に結合されたグローバルポジショニングシステム（ＧＰＳ）コントローラ１１４６に結合してもよい。別法として、コントローラ１１４６が、グローバルナビゲーション衛星システム（ＧＮＳＳ）コントローラを含んでもよい。オーディオコーデック１１４４が１つ以上のオーディオポート１１５０に結合されて、オーディオポート１１５０を介して情報処理システムに結合された内部装置を介して及び／又は外部装置を介して、例えば、ヘッドフォン及びマイクロフォンジャックを介して、マイクロフォン入力及びスピーカ出力を提供することができる。さらに、アプリケーションプロセッサ１１１０は、１つ以上の入力／出力（Ｉ／Ｏ）送受信器１１５２に結合して、１つ以上のＩ／Ｏポート１１５４、例えば、ユニバーサルシリアルバス（ＵＳＢ）ポート、高精細マルチメディアインターフェース（ＨＤＭＩ（登録商標））ポート、シリアルポートなどに結合してもよい。さらに、Ｉ／Ｏ送受信器１１５２のうち１つ以上が、任意的な取外し可能メモリ、例えば、セキュアデジタル（ＳＤ）カード又は加入者アイデンティティモジュール（ＳＩＭ）カードなどのために、１つ以上のメモリスロット１１５６に結合してもよい。しかしながら、請求される対象事項の範囲は上記の点において限定されない。
【００３９】
次に図１２を参照して、１つ以上の実施形態に従う、タッチスクリーンを任意的に含み得る図１１の情報処理システムの等角図が論じられる。図１２は、セルラー電話、スマートフォン、又はタブレットタイプ装置などとして有形に具現化された図１１の情報処理システムの一例示的な実装を示している。
【００４０】
情報処理システム１１００は、タッチスクリーン１１３２を含み得るディスプレイ１１３０を有するハウジング１２１０を含むことができ、タッチスクリーン１１３２は、１つ以上のアプリケーションプロセッサ１１１０を制御するための触覚の入力制御及びコマンドを、ユーザの指１２１６を介して、及び／又はスタイラス１２１８を介して受け取る。ハウジング１２１０は、情報処理システム１１００の１つ以上のコンポーネント、例えば、１つ以上のアプリケーションプロセッサ１１１０と、ＳＤＲＡＭ１１１４、ＮＡＮＤフラッシュ１１１６、ＮＯＲフラッシュ１１１８、ベースバンドプロセッサ１１１２、及び／又はＷＷＡＮ送受信器１１２０のうち１つ以上とを収容し得る。情報処理システム１１００は、場合により、物理的作動器エリア１２２０をさらに含んでもよく、物理的作動器エリア１２２０は、１つ以上のボタン又はスイッチを介して情報処理システムを制御するためのキーボード又はボタンを含み得る。情報処理システム１１００は、メモリポート又はスロット１１５６をさらに含んでもよく、メモリポート又はスロット１１５６は、例えば、セキュアデジタル（ＳＤ）カード又は加入者アイデンティティモジュール（ＳＩＭ）カードの形態における、フラッシュメモリなどの不揮発メモリを受ける。場合により、情報処理システム１１００は、１つ以上のスピーカー及び／又はマイクロフォン１２２４と、情報処理システム１１００を別の電子装置、ドック、ディスプレイ、バッテリ充電器などに接続する接続ポート１１５４とをさらに含んでもよい。さらに、情報処理システム１１００は、ハウジング１２１０の１つ以上の側面に、ヘッドフォン又はスピーカージャック１２２８と１つ以上のカメラ１１３６とを含んでもよい。図１２の情報処理システム１１００は、様々な配置において、図示されるよりもより多くの又はより少ない要素を含んでもよいことが留意されるべきであり、請求される対象事項の範囲は上記の点において限定されない。
【００４１】
請求される対象事項がある程度の具体性で説明されているが、その要素は、請求される対象事項の主旨及び／又は範囲から逸脱することなく、当業者により改変され得ることが認識されるべきである。専用ネットワークノードとその付帯的なユーティリティの多くとを介した通信に属する対象事項が前述の説明によって理解されると確信され、様々な変更が、そのコンポーネントの形式、構築、及び／又は配置において、請求される対象事項の範囲及び／又は主旨から逸脱することなく、又はその本質的な利点のずべてを犠牲にすることなく、及び／又は、さらに、それに対する実質的な変更を提供することなく、なされ得ることが明らかであり、本明細書において前に説明された形態は、単にその説明的な実施形態である。こうした変更を包含し及び／又は含むことが請求項の意図である。
【図１】
0006374021.tif 000006
【図２】
0006374021.tif 000007
【図３】
0006374021.tif 000008
【図４】
0006374021.tif 000009
【図５】
0006374021.tif 000010
【図６】
0006374021.tif 000011
【図７Ａ】
0006374021.tif 000012
【図７Ｂ】
0006374021.tif 000013
【図８Ａ】
0006374021.tif 000014
【図８Ｂ】
0006374021.tif 000015
【図９Ａ】
0006374021.tif 000016
【図９Ｂ】
0006374021.tif 000017
【図１０Ａ】
0006374021.tif 000018
【図１０Ｂ】
0006374021.tif 000019
【図１１】
0006374021.tif 000020
【図１２】
0006374021.tif 000021